(57)【要約】【課題】  外壁を貼分けパターン毎にコーディネート用の外壁柄を選定して貼付ける。【解決手段】  建物の立面図の複数の貼付け区域の一つに、外壁柄表示部１０に表示された外壁柄の中から選定された一つの外壁柄を貼付けて表示するための外壁柄選定貼付け手段１１を設ける。複数の貼付け区域のうち一つの貼付け区域に選定された一つの外壁柄が貼付け表示されることで、選定して貼付け表示された外壁柄３２に対応してグループ化されたコーディネート用の外壁柄３２を外壁柄表示部１０に表示するコーディネート用外壁柄表示手段１３を設ける。外壁柄表示部１０に表示された複数のコーディネート用の外壁柄３２の中から一つの外壁柄３２を選定することで貼分けパターン選定表示部９に表示された貼分けパターン立面図の中の他の貼付け区域に選定されたコーディネート用の外壁柄３２を貼付けて表示するコーディネート用外壁柄貼付け手段１４を設ける。【選定図】        図１【特許請求の範囲】
【請求項１】
建物の外観形状を複数のプランの立面図に分類して該複数に分類した各プランの立面図の画像データを蓄積した立面図画像データベースと、分類された各プランの立面図毎に各立面図をそれぞれ複数の異なる貼付け区域に区分けした複数種類の貼分けパターン立面図の画像データを蓄積した貼分けパターン画像データベースと、柄又は色又は柄と色が異なる多数種類の外壁柄の画像データを蓄積した外壁柄画像データベースと、該外壁柄画像データベースに蓄積された各外壁柄の画像データにそれぞれ対応してグループ化された複数のコーディネート用の外壁柄の画像データを蓄積したコーディネート用外壁柄画像データベースとを備え、
ディスプレーの画面に、立面図画像データベースに蓄積された複数のプランの立面図を表示するためのプラン表示部を設け、
プラン表示部に表示された多数の立面図の中から一つの立面図を選定することで該選定された立面図をディスプレーの画面に表示するための選定立面図表示部を設け、
選定立面図表示部に上記選定された一つの立面図を表示するステップの次のステップで、パターン画像データベースに蓄積された多数の貼分けパターンの中から当該選定された立面図に対応した複数の貼分けパターン立面図をディスプレーの画面に表示するための貼分けパターン表示部を設け、
貼分けパターン表示部に表示された複数の貼分けパターン立面図の中から一つの貼分けパターンを選定することで選定された貼分けパターン立面図をディスプレーの画面に表示するための貼分けパターン選定表示部を設け、
貼分けパターン選定表示部に上記選定された一つの貼分けパターン立面図を表示するステップの次のステップで、上記外壁柄画像データベースに蓄積された柄又は色又は柄と色が異なる多数種類の外壁柄をディスプレーの画面に表示する外壁柄表示部を設け、
貼分けパターン選定表示部に表示された貼分けパターン立面図の複数の貼付け区域の一つに、外壁柄表示部に表示された多数種類の外壁柄の中から選定された一つの外壁柄を貼付けて表示するための外壁柄選定貼付け手段を設け、
複数の貼付け区域のうち一つの貼付け区域に上記選定された一つの外壁柄が貼付け表示されることで、該選定して貼付け表示された外壁柄に対応してグループ化されたコーディネート用の複数の外壁柄をコーディネート用外壁柄画像データベースから選んで外壁柄表示部に表示するコーディネート用外壁柄表示手段を設け、
該外壁柄表示部に表示されたコーディネート用の複数の外壁柄の中から一つの外壁柄を選定することで貼分けパターン選定表示部に表示された貼分けパターン立面図の中の他の貼付け区域に選定されたコーディネート用の複数の外壁柄を貼付けて表示するコーディネート用外壁柄貼付け手段を設けて成ることを特徴とする建物の外観コーディネートシステム。
【請求項２】
貼分けパターン選定表示部に一つの貼分けパターン立面図を選定して表示することで、上記外壁柄画像データベースに蓄積された柄又は色又は柄と色が異なる多数種類の外壁柄をディスプレーの画面に設けた外壁柄表示部に表示するに当たって、外壁を構成する外装材の厚みを選定する厚み選定手段を設けると共に、外壁柄画像データベースに外装材の厚みの種類毎にそれぞれ柄又は色又は柄と色が異なる外壁柄の画像データを蓄積し、厚み選定手段により選定された厚みに対応した外壁柄を外壁柄表示部に表示することを特徴とする請求項１記載の建物の外観コーディネートシステム。
【請求項３】
貼分けパターン立面図の中の各貼付け区域に外壁柄を選定して貼付け表示したコーディネート済み立面図の画像データを登録する登録部を設け、登録部に登録された複数のコーディネート済み立面図をディスプレーの画面に複数並べて表示する比較表示部を設けて成ることを特徴とする請求項１又は請求項２記載の建物の外観コーディネートシステム。
【発明の詳細な説明】
【技術分野】
【０００１】
本発明は、コンピュータシステムを用いて、建物の外観をコーディネートするための技術に関するものである。
【背景技術】
【０００２】
従来、建物の外観を決定するに当たり、建物を新築、あるいは改築しようとする人にとって、建物の外壁にどのような外壁柄（柄、色、又は柄と色）をした外装材をどのようにして貼り分けするかということはきわめて重要なことである。
【０００３】
従来、建物の外壁にどのような外壁柄をした外装材をどのようにして貼り分けするかということを決めるに当たっては、設計者や工事業者等の専門家が柄や色の異なる多数種類の外壁柄を組み合わせた多数のコンピュータグラフィックスを作製して、外壁柄については素人の顧客に対して提案していた。ところが、この従来例にあっては、施主が柄や色の相性等を理解していないので、組み合わせの候補となる柄や色をすべてコンピュータグラフィックスで作製して比較してもらうようにしており、費用と時間とにロスが多いという問題があった。
【０００４】
また、なによりも、このような設計者や工事業者等の専門家が柄や色の異なる多数種類の外壁柄を組み合わせた多数のコンピュータグラフィックスを作製するやり方では施主自身が直接施主の好みに応じて外壁柄を選定して外壁の外面に割り付けるようになっていないので、施主の好みを直接反映するものではない。
【０００５】
一方、施主が好みの外壁柄をランダムに選んで外壁に貼り分けるようにすることも考えられるが、設計者や工事業者等の専門家でないので、柄や色の異なる多種類の外壁柄相互の相性を理解しておらず、施主の好みのままに外壁柄をランダムに選んで外壁に貼り分けるような場合、施工後に使用した外壁柄の柄や色の相性が悪く、仕上がりの外観が悪くなり、施主に大きな不満が残るという問題があった。
【０００６】
なお、建築のデザイン方針を決定するコンピュータを用いた支援システムとして、特許文献１が知られている。
【０００７】
この特許文献１に示された従来例は、顧客に対して建築デザイン方針を決定するためのプロセスや基準等を統一的、視覚的、に与えて、イメージから具体的なデザイン方針の決定を支援するようにしたものであるが、顧客が建物の外壁を柄、色の異なる多種類の外壁柄から選定して貼付けることで、相互に違和感がなくて相性の良い外壁柄を貼付けることを支援するようなシステムについては開示してない。
【特許文献１】特願平９−１６０９４６号公報
【発明の開示】
【発明が解決しようとする課題】
【０００８】
本発明は上記の従来の問題点に鑑みて発明したものであって、コンピュータを用いて顧客が建物の外壁を柄、色の異なる多種類の外壁柄で貼分ける貼分けパターンを選定し、しかも、選定された貼分けパターン毎に相性の良い外壁柄を自由に選定して貼付けて実際に施工された状態を容易に想像して確認できる建物の外観コーディネートシステムを提供することを課題とするものである。
【課題を解決するための手段】
【０００９】
上記課題を解決するために本発明に係る建物の外観コーディネートシステムは、建物の外観形状を複数のプランの立面図３０に分類して該複数に分類した各プランの立面図３０の画像データを蓄積した立面図画像データベース１と、分類された各プランの立面図３０毎に各立面図３０をそれぞれ複数の異なる貼付け区域３３ａ、３３ｂに区分けした複数種類の貼分けパターン立面図３１の画像データを蓄積した貼分けパターン画像データベース２と、柄又は色又は柄と色が異なる多数種類の外壁柄３２の画像データを蓄積した外壁柄画像データベース３と、該外壁柄画像データベース３に蓄積された各外壁柄３２の画像データにそれぞれ対応してグループ化された複数のコーディネート用の外壁柄３２の画像データを蓄積したコーディネート用外壁柄画像データベース４とを備え、ディスプレー５の画面に、立面図画像データベース１に蓄積された複数のプランの立面図３０を表示するためのプラン表示部６を設け、プラン表示部６に表示された多数の立面図３０の中から一つの立面図３０を選定することで該選定された立面図３０をディスプレー５の画面に表示するための選定立面図表示部７を設け、選定立面図表示部７に上記選定された一つの立面図３０を表示するステップの次のステップで、貼分けパターン画像データベース２に蓄積された多数の貼分けパターンの中から当該選定された立面図３０に対応した複数の貼分けパターン立面図３１をディスプレー５の画面に表示するための貼分けパターン表示部８を設け、貼分けパターン表示部８に表示された複数の貼分けパターン立面図３１の中から一つの貼分けパターン立面図３１を選定することで選定された貼分けパターン立面図をディスプレー５の画面に表示するための貼分けパターン選定表示部９を設け、貼分けパターン選定表示部９に上記選定された一つの貼分けパターン立面図３１を表示するステップの次のステップで、上記外壁柄画像データベース３に蓄積された柄又は色又は柄と色が異なる多数種類の外壁柄３２をディスプレー５の画面に上記貼分けパターン選定表示部９と並んで表示する外壁柄表示部１０を設け、貼分けパターン選定表示部９に表示された貼分けパターン立面図３１の複数の貼付け区域３３ａ、３３ｂの一つに、外壁柄表示部１０に表示された多数種類の外壁柄３２の中から選定された一つの外壁柄３２を貼付けて表示するための外壁柄選定貼付け手段１１を設け、複数の貼付け区域３３ａ、３３ｂのうち一つの貼付け区域３３ａに上記選定された一つの外壁柄３２が貼付け表示されることで、該選定して貼付け表示された外壁柄３２に対応してグループ化されたコーディネート用の外壁柄３２をコーディネート用外壁柄画像データベース４から選んで外壁柄表示部１０に表示するコーディネート用外壁柄表示手段１３を設け、該外壁柄表示部１０に表示された複数のコーディネート用の外壁柄３２の中から一つの外壁柄３２を選定することで貼分けパターン選定表示部９に表示された貼分けパターン立面図３１の中の他の貼付け区域に選定されたコーディネート用の外壁柄３２を貼付けて表示するコーディネート用外壁柄貼付け手段１４を設けて成ることを特徴とするものである。
【００１０】
このような構成とすることで、顧客は、住宅のような建物の外観形状を複数のプランの中から選定し、次に、選定されたプランの立面図に対応した複数の貼分けパターン立面図３１の中から一つの貼分けパターン立面図３１を選定し、次に、貼分けパターン立面図３１の複数の貼付け区域３３ａ、３３ｂの一つに、外壁柄表示部１０に表示された多数種類の外壁柄３２の中から顧客の好みにより一つの外壁柄３２を貼付けて表示することで、自動的に該選定して貼付け表示された外壁柄３２に対応してグループ化されたコーディネート用の外壁柄３２（つまり互いに相性の良い外壁柄３２）が外壁柄表示部１０に表示されるので、該外壁柄表示部１０に表示された複数のコーディネート用の外壁柄３２の中から一つの顧客の好みに応じた外壁柄３２を選定することで貼分けパターン立面図３１の中の他の貼付け区域３３ｂに該選定されたコーディネート用の外壁柄３２を貼付けて表示できるものであり、簡単な構成の建物の外観コーディネートシステムで、柄や色の相性について素人の顧客自身が、自らの好みに応じて柄や色の相性のよい複数種類の外壁柄３２を貼分けて設計の段階で容易に建物の外壁の仕上がり後の外観を確認することができるものである。もちろん、外壁柄３２の組み合わせについて素人の顧客だけでなく、外壁柄３２の組み合わせについての専門家である設計者や工事業者や営業マン等も容易に建物の外壁の外観をコーディネートすることができる。
【００１１】
また、貼分けパターン選定表示部９に一つの貼分けパターン立面図３１を選定して表示することで、上記外壁柄画像データベース３に蓄積された柄又は色又は柄と色が異なる多数種類の外壁柄３２をディスプレー５の画面に設けた外壁柄表示部１０に表示するに当たって、外壁を構成する外装材の厚みを選定する厚み選定手段１５を設けると共に、外壁柄画像データベース３に外装材の厚みの種類毎にそれぞれ柄又は色又は柄と色が異なる外壁柄３２の画像データを蓄積し、厚み選定手段１５により選定された厚みに対応した外壁柄３２を外壁柄表示部１０に表示することが好ましい。
【００１２】
このような構成とすることで、外壁を構成する外装材の厚みを選定することで、厚みに対応した外壁柄画像データベース３に蓄積された柄又は色又は柄と色が異なる多数種類の外壁柄３２をディスプレー５の画面に外壁柄表示部１０により表示することができ、外装材の厚みに応じた外壁柄３２の選定が容易に行えるものである。
【００１３】
また、貼分けパターン立面図３１の中の各貼付け区域３３ａ、３３ｂに外壁柄３２を選定して貼付け表示したコーディネート済み立面図３４の画像データを登録する登録部１６を設け、登録部１６に登録された複数のコーディネート済み立面図３４をディスプレー５の画面に複数並べて表示する比較表示部１７を設けることが好ましい。
【００１４】
このような構成とすることで、比較表示部１７に複数のコーディネート済み立面図３４をディスプレー５の複数並べて表示することで、数タイプのコーディネート済み立面図３４を画面上で比較して建物の外観の仕様を簡単に決定することができる。
【発明の効果】
【００１５】
本発明は、設計者や工事業者や営業マン等の専門家はもちろん、外壁柄の柄や色の相性について素人の顧客自身が、簡単に、自らの好みに応じて柄や色の相性のよい複数種類の外壁柄を貼分けて設計の段階で容易に建物の外壁の仕上がり後の外観を確認することができるという効果を有している。
【発明を実施するための最良の形態】
【００１６】
以下、本発明を添付図面に示す実施形態に基いて説明する。
【００１７】
図１には本発明の建物の外観コーディネートシステムのブロック図が示してあり、本発明は、コンピュータ１８により建物の外壁を複数種類の外壁柄で貼分けるシステムであり、本システムにおいてコンピュータ１８には、立面図画像データベース１と、貼分けパターン画像データベース２と、外壁柄画像データベース３と、コーディネート用外壁柄画像データベース４とを備えている。
【００１８】
立面図画像データベース１は、建物の外観形状を複数のプランの立面図３０に分類して該複数に分類した各プランの立面図３０の画像データが蓄積してある。例えば「南入り０００１」、「南入り０００２」、「北入り０００１」、「北入り０００２」……というように建物の外観形状が異なる複数のプランの立面図３０の画像データが蓄積してある。
【００１９】
貼分けパターン画像データベース２は、上記のように分類された各プランの立面図３０毎に各立面図３０をそれぞれ複数の異なる貼付け区域３３ａ、３３ｂに区分けした複数種類の貼分けパターン立面図３１の画像データを蓄積してある。ここで、立面図３０を複数の異なる貼付け区域３３ａ、３３ｂに区分けするとは、例えば、図５のロのように、外壁の１階部分と２階部分とを異なる貼付け区域３３ａ、３３ｂに区別したもの、あるいは、図５のハのように、外壁の２階建て部分と平屋部分とを異なる貼付け区域３３ａ、３３ｂとして区分けしたり、あるいは、図５のニのように、外壁のコーナ部分とコーナ以外の部分とを異なる貼付け区域３３ａ、３３ｂとして区分けしてあるが、本発明においては図５のイのように、建物の立面図３０において、外壁全面が同一外壁柄３２を貼付ける同一貼付け区域３３ａとなったものも貼分けパターン立面図３１の種類の一つとして貼分けパターン画像データベース２に蓄積してある。
【００２０】
また、外壁柄画像データベース３には使用しようとする多種類の外壁柄３２の外面の柄又は色又は柄と色により表される外壁柄３２の画像データを蓄積してあり、多種類の外装材の外壁柄３２はそれぞれ柄又は色又は柄と色が異なっているものである。
【００２１】
また、コーディネート用外壁柄画像データベース４は、上記外壁柄画像データベース３に蓄積された各外壁柄３２の画像データと関連した各外壁柄３２に対応してグループ化されたコーディネート用の外壁柄３２（つまり相性の良い外壁柄３２同士をグループ化してある）の画像データを蓄積したものである。ここで、ある外壁柄３２と相性の良い外壁柄３２をクループ化するに当たっては、例えば、「模様が似ている」、「色が似ている」、あるいは、「モダン、クラシック、ナチュラルといったような建物のイメージに合ったイメージの色、あるいは柄」等のコーディネートして外観上違和感が無いもの同士を集めてそれぞれグループ化するのである。
【００２２】
コンピュータ１８にはディスプレー５が接続してある。コンピュータ１８には初期画面表示手段１９、貼付けパターン画面表示手段３６、外壁柄選定画面表示手段３７、外壁柄選定貼付け手段１１、コーディネート用外壁柄表示手段１３、コーディネート用外壁柄貼付け手段１４、登録部１６、一覧画面表示手段３８を設けてある。
【００２３】
初期画面表示手段１９が実行されると、図２に示すようにディスプレー５に複数のプラン表示部６と、選定立面図表示部７と、操作部２０とを設けた初期画面１２が表示されると共に、複数のプラン表示部６に立面図画像データベース１に蓄積された多数のプランの立面図３０がそれぞれ表示されるようになっている。上記操作部２０にはプラン選定釦２０ａ、貼付けパターン選定釦２０ｂ、外壁柄選定釦２０ｃ（外壁を構成する外装材の厚みにより３つの外壁柄選定釦２０ｃ１、２０ｃ２、２０ｃ３が設けてあり、この３つの外壁柄選定釦２０ｃ１、２０ｃ２、２０ｃ３が外壁の厚みを選定する厚み選定手段１５を兼ねている）、コーディネート柄選定釦２０ｄ、キャンセル釦２０ｅ、保存釦２０ｆ、別プラン製作釦２０ｇ、保全データ一覧釦２０ｈが設けてある。
【００２４】
顧客、あるいは設計者や工事業者あるいは営業マン等の利用者（以下単に利用者と言う）がマウスやキーボード等の入力部３５を操作してディスプレー５の初期画面１２上でカーソルを移動して、プラン選定釦２０ａをクリックすると図３のようにプラン表示部６に多数のプランの立面図３０が表示される。
【００２５】
次に、プラン表示部６に表示された多数のプランの立面図３０の中から一つの立面図３０の上にカーソルを位置させた状態でマウスをクリックして任意の一つの立面図３０を選定すると、該選定されたプランの立面図３０が選定立面図表示部７に図４のように表示される。ここで、キャンセル釦２０ｅにカーソルを位置させてマウスをクリックすると、上記選定がキャンセルされるので、他の立面図３０を選定して選定立面図表示部７に表示することができる。
【００２６】
上記のようにして選定立面図表示部７に目的とする立面図３０を表示するステップを実行した段階で、貼付けパターン選定釦２０ｂにカーソルを移動してクリックすることで次のステップが実行される。つまり、貼付けパターン選定釦２０ｂをクリックすることで、貼付けパターン画面表示手段３６により図５のように、複数の貼分けパターン表示部８、貼分けパターン選定表示部９、操作部２０を備えた貼分けパターン画面２１が表示されると共に、この貼分けパターン画面２１の複数の貼分けパターン表示部８に、前記貼分けパターン画像データベース２に蓄積してある多数の多数の貼分けパターンの中から上記選定された立面図３０に対応した複数の貼分けパターン立面図３１が表示される。
【００２７】
次に、利用者がディスプレー５の貼分けパターン画面２１上でカーソルを移動して、貼分けパターン表示部８に表示された多数の貼分けパターン立面図３１の中から一つの貼分けパターン立面図３１の上に位置させた状態でマウスをクリックして任意の一つの貼分けパターン立面図３１を選定すると、選定された貼分けパターン立面図３１がディスプレー５の画面に設けられた貼分けパターン選定表示部９に選定された貼分けパターン立面図３１が表示される。ここで、キャンセル釦２０ｅにカーソルを位置させてマウスをクリックすると、上記選定がキャンセルされるので、他の貼分けパターン立面図３１を選定して貼分けパターン選定表示部９に表示することができる。
【００２８】
上記のようにして貼分けパターン選定表示部９に目的とする貼分けパターン立面図３１を表示するステップを実行した段階で、外壁柄選定釦２０ｃをクリックする（実施形態では３つの外壁柄選定釦２０ｃ１、２０ｃ２、２０ｃ３の一つをクリックする）ことで次のステップが実行される。つまり、外壁柄選定釦２０ｃをクリックすると、外壁柄選定画面表示手段３７により図６のように、貼分けパターン選定表示部９、複数の外壁柄表示部１０、操作部２０を備えた外壁柄選定画面２２が表示されると共に、この外壁柄選定画面２２の複数の外壁柄表示部１０に、前記外壁柄画像データベース３に蓄積された柄又は色又は柄と色が異なる多数種類の外壁柄３２が表示される。この場合、外壁柄選定釦２０ｃ１、２０ｃ２、２０ｃ３の何れかを選択してクリックすることで１３ｍｍ厚の外装材の外壁柄３２、１５ｍｍ厚の外装材の外壁柄３２、１６ｍｍ厚の外壁材の外壁柄３２が表示される。
【００２９】
外壁柄表示部１０に外壁柄３２を表示するには、図６に示すように、外壁柄３２の柄のカラー画像と、当該外壁柄３２を特定する品番乃至名称（添付図面においては便宜上、「品番００１」、「品番００２」、「品番００３」………「品番０１５」……「品番０２０」…で表している）と、当該外壁柄３２の色が文字で表示されるものであり、当該外壁柄３２を特定する品番乃至名称のものとして色の異なる複数種類のものがある場合には、その複数種類の色が文字で表示される。
【００３０】
次に、利用者がディスプレー５の外壁柄選定画面２２上でカーソルを移動して、複数の外壁柄表示部１０に表示された複数の外壁柄３２のうち、好みの外壁柄３２の上に移動して目的とする外壁柄３２を、貼付けパターン選定表示部９に表示された貼分けパターン立面図３１において区分けされている複数の貼付け区域３３ａ、３３ｂのうち一つの貼付け区域３３ａの上までドラッグ、アンド、ドロップして図７に示すように貼付ける。このように好みの外壁柄３２を一つの貼付け区域３３ａにドラッグ、アンド、ドロップして貼付けると、同時に貼分けパターン選定表示部９の上記選定された一つの貼付け区域３３ａの近くに上記選定された外壁柄３２の品番と色とが表示される。ここで、キャンセル釦２０ｅにカーソルを位置させてマウスをクリックすると、上記選定がキャンセルされるので、他の外壁柄３２を上記と同様にしてドラッグ、アンド、ドロップして一つの貼付け区域３３ａに貼付けることができる。
【００３１】
次に、コーディネート柄選定釦２０ｄをクリックすると、図８に示すように、外壁柄選定画面２２の貼分けパターン選定表示部９の上記選定された一つの貼分け区域３３ａに上記選定された外壁柄３２が貼付け表示がなされると同時に貼分けパターン選定表示部９の上記選定された一つの貼付け区域の近くに上記選定された外壁柄３２の品番と色とが表示されたまま、同時にコーディネート用外壁柄表示手段１３により該選定して貼付け表示された外壁柄３２に対応してグループ化されたコーディネート用の外壁柄３２をコーディネート用外壁柄画像データベース４から選んで複数の外壁柄表示部１０に表示される。
【００３２】
次に、利用者がディスプレー５の外壁柄表示部１０に表示されたグループ化されたコーディネート用の複数の外壁柄３２の内好みの外壁柄３２の上に移動して、目的とするコーディネート用の外壁柄３２を、貼付けパターン選定表示部９に表示された貼分けパターン立面図３１において区分けされている他の貼付け区域３３ｂの上までドラッグ、アンド、ドロップして図９に示すように貼付ける。これにより当該他の貼付け区域３３ｂの近くに上記選定されたコーディネート用の外壁柄３２の品番と色が表示される。ここで、キャンセル釦２０ｅにカーソルを位置させてマウスをクリックすると、上記選定がキャンセルされるので、他のコーディネート用の外壁柄３２を上記と同様にしてドラッグ、アンド、ドロップして他の貼付け区域３３ｂに貼付けることができる。
【００３３】
上記のようにして複数の貼付け区域３３ａ、３ｂにそれぞれ外壁柄３２及び当該外壁柄３２に対応したグループ化された外壁柄３２のうち好みの外壁柄３２を貼付けた段階で、保存釦２０ｆをクリックすることで、上記のようにして作製したコーディネート済み立面図３４の画像データが登録部１６に保存される。
【００３４】
また、別プラン製作釦２０ｇをクリックすると、図５に示す画面が表示されるので、上記と同様にして別プランのコーディネート済み立面図３４を作製することができ、同様にして作製したコーディネート済み立面図３４の画像データを登録部１６に登録することができる。ここで、別プラン製作釦２０ｇをクリックした場合、初期画面に戻ることなく、図５に示す画面が表示されるのは、別プランを作成しようとする利用者は、既に、立面図３０の選定は既に済んでいるので、貼分けパターン立面図３１の選定から別プランの作製を開始したらよいので図５に示す画面が表示されるようになっている。
【００３５】
そして、保全データ一覧釦２０ｈをクリックすると、一覧画面表示手段３８により図１０のようにディスプレー５に一覧画面２３が表示され、該一覧画面２３の比較表示部１７に登録部１６に保存されたコーディネート済み立面図３４が並んで表示されるものであり、この一覧画面２３を見ることで、各プランの比較を行うことができるものである。
【図面の簡単な説明】
【００３６】
【図１】本発明の建物の外観コーディネートネートシステムの概略全体ブロック図である。
【図２】同上の処理順序を示す説明図である。
【図３】同上の処理順序を示す説明図である。
【図４】同上の処理順序を示す説明図である。
【図５】同上の処理順序を示す説明図である。
【図６】同上の処理順序を示す説明図である。
【図７】同上の処理順序を示す説明図である。
【図８】同上の処理順序を示す説明図である。
【図９】同上の処理順序を示す説明図である。
【図１０】同上の処理順序を示す説明図である。
【符号の説明】
【００３７】
１  立面図画像データベース
２  貼分けパターン画像データベース
３  外壁柄画像データベース
４  コーディネート用外壁柄画像データベース
５  ディスプレー
６  プラン表示部
７  選定立面図表示部
８  貼分けパターン表示部
９  貼分けパターン選定表示部
１０  外壁柄表示部
１１  外壁柄選定貼付け手段
１３  コーディネート用外壁柄表示手段
１４  コーディネート用外壁柄貼付け手段
１５  厚み選定手段
１６  登録部
１７  比較表示部
【図１】
2005309922.tif 000002
【図２】
2005309922.tif 000003
【図３】
2005309922.tif 000004
【図４】
2005309922.tif 000005
【図５】
2005309922.tif 000006
【図６】
2005309922.tif 000007
【図７】
2005309922.tif 000008
【図８】
2005309922.tif 000009
【図９】
2005309922.tif 000010
【図１０】
2005309922.tif 000011